【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
無線通信システムにおける基地局の動作方法であって、
レインジングコード分割情報を伝送する過程と、
端末からレインジングコードを受信する過程と、
前記端末からレインジング信号を伝送するための資源割当情報を含む第１資源割当メッセージを前記端末に伝送する過程と、
前記端末からレインジング信号を再伝送するための資源割当情報を含む第２資源割当メッセージを前記端末に伝送する過程と、を含む方法。
【請求項２】
前記レインジング信号は、レインジング要請メッセージ及び帯域要請メッセージのうち一つを含むことを特徴とする請求項１に記載の方法。
【請求項３】
前記第１資源割当メッセージ及び前記第２資源割当メッセージは、フレームインデックス、レインジングコード、レインジングシンボル及びレインジングサブチャネルのうち少なくとも一つを含むことを特徴とする請求項１に記載の方法。
【請求項４】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定されることを特徴とする請求項３に記載の方法。
【請求項５】
前記第１資源割当メッセージによって割り当てられた資源を介して受信された信号及び前記第２資源割当メッセージによって割り当てられた資源を介して受信された信号をソフトコンバイニングする過程を更に含む請求項１に記載の方法。
【請求項６】
前記レインジングコード分割情報を少なくとも一つの端末に伝送する過程は、
再伝送の支援可否を示すように区分されるレインジングコード分割情報を含む制御メッセージを伝送する過程を含む請求項１に記載の方法。
【請求項７】
無線通信システムにおける基地局装置であって、
レインジングコード分割情報を伝送する送信部と、
端末からレインジングコードを受信する受信部と、を含み、
前記送信部は、前記端末からレインジング信号を送信するための資源割当情報を含む第１資源割当メッセージを前記端末に伝送し、前記端末からレインジング信号を再伝送するための資源割当情報を含む第２資源割当メッセージを前記端末に伝送することを特徴とする装置。
【請求項８】
前記レインジングコード分割情報は、
再伝送の支援可否を示すように区分されるレインジングコード分割情報を含むことを特徴とする請求項７に記載の装置。
【請求項９】
前記レインジング信号は、レインジング要請メッセージ及び帯域要請メッセージのうち一つを含むことを特徴とする請求項７に記載の装置。
【請求項１０】
前記第１資源割当メッセージ及び前記第２資源割当メッセージは、フレームインデックス、レインジングコード、レインジングシンボル及びレインジングサブチャネルのうち少なくとも一つを含むことを特徴とする請求項７に記載の装置。
【請求項１１】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定されることを特徴とする請求項１０に記載の装置。
【請求項１２】
前記第１資源割当メッセージによって割り当てられた資源を介して受信された信号及び前記第２資源割当メッセージによって割り当てられた資源を介して受信された信号をソフトコンバイニングする制御部を更に含むことを特徴とする請求項７に記載の装置。
【請求項１３】
無線通信システムにおける端末の動作方法であって、
レインジングコード分割情報を受信する過程と、
前記レインジングコード分割情報に含まれた少なくとも２つのコード集合のうち第１集合に含まれた一つのレインジングコードを基地局に伝送する過程と、
前記基地局から、レインジング信号を伝送するための資源割当情報を含む第１資源割当メッセージを受信する過程と、
前記基地局から、前記端末からレインジング信号を再伝送するための資源割当情報を含む第２資源割当メッセージを受信する過程と、を含む方法。
【請求項１４】
前記第１資源割当メッセージによって割り当てられた資源を介してレインジング信号を伝送する過程と、
前記第２資源割当メッセージによって割り当てられた資源を介して前記レインジング信号を再伝送する過程と、を更に含むことを特徴とする請求項１３に記載の方法。
【請求項１５】
前記レインジングコード分割情報は、再伝送の支援可否を示すように区分されるレインジングコード分割情報を含むことを特徴とする請求項１３に記載の方法。
【請求項１６】
前記レインジング信号は、レインジング要請メッセージ及び帯域要請メッセージのうち一つを含むことを特徴とする請求項１３に記載の方法。
【請求項１７】
前記第１資源割当メッセージ及び前記第２資源割当メッセージは、フレームインデックス、レインジングコード、レインジングシンボル及びレインジングサブチャネルのうち少なくとも一つを含むことを特徴とする請求項１３に記載の方法。
【請求項１８】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定されることを特徴とする請求項１７に記載の方法。
【請求項１９】
前記レインジング信号の再伝送回数及び再伝送有効時間のうち少なくとも一つに基づいて前記レインジング信号を再伝送し得るか否かを判断する過程を更に含む請求項１３に記載の方法。
【請求項２０】
前記第１資源割当メッセージに含まれた資源割当情報及び前記第２資源割当メッセージに含まれた資源割当情報が同じである場合、前記レインジング信号を再伝送する過程を更に含むことを特徴とする請求項１３に記載の方法。
【請求項２１】
無線通信システムにおける端末装置であって、
レインジングコード分割情報を受信する受信部と、
前記レインジングコード分割情報に含まれた少なくとも２つのコード集合のうち第１集合に含まれた一つのレインジングコードを基地局に伝送する送信部と、を含み、
前記受信部は、前記基地局から、レインジング信号を伝送するための資源割当情報を含む第１資源割当メッセージ及び端末からレインジング信号を再伝送するための資源割当情報を含む第２資源割当メッセージを受信することを特徴とする装置。
【請求項２２】
前記送信部は、第１資源割当メッセージによって割り当てられた資源を介してレインジング信号を伝送し、前記第２資源割当メッセージによって割り当てられた資源を介して前記レインジング信号を再伝送することを特徴とする請求項２１に記載の装置。
【請求項２３】
前記レインジングコード分割情報は、再伝送の支援可否を示すように区分されるレインジングコード分割情報を含むことを特徴とする請求項２１に記載の装置。
【請求項２４】
前記レインジング信号は、レインジング要請メッセージ及び帯域要請メッセージのうち一つを含むことを特徴とする請求項２１に記載の装置。
【請求項２５】
前記第１資源割当メッセージ及び前記第２資源割当メッセージは、フレームインデックス、レインジングコード、レインジングシンボル及びレインジングサブチャネルのうち少なくとも一つを含むことを特徴とする請求項２１に記載の装置。
【請求項２６】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定されることを特徴とする請求項２５に記載の装置。
【請求項２７】
前記レインジング信号の再伝送回数及び再伝送有効時間のうち少なくとも一つに基づいて前記レインジング信号を再伝送し得るか否かを判断する制御部を更に含むことを特徴とする請求項２１に記載の装置。
【請求項２８】
前記第１資源割当メッセージに含まれた資源割当情報及び前記第２資源割当メッセージに含まれた資源割当情報が同じである場合、前記レインジング信号を再伝送するように制御する制御部を更に含むことを特徴とする請求項２１に記載の装置。